(57)【要約】【課題】携帯端末装置を保持する手のうちの一本の指の操作で、画像の拡大スクロールを容易に行うことができる携帯端末装置を実現することを目的とする。【解決手段】携帯端末装置１００は、画像を表わすデータである画像データを記憶する画像データ記憶部３１と、画像データにより表わされる画像を表示する表示装置２と、表示装置２とは異なる面に設けられたタッチセンサ４と、タッチセンサ４からのタップ入力の回数に基いて表示装置２に表示された画像の中心点を中心として拡大した画像を表示させ、タッチセンサ４からのタッチ位置の移動の検出に基いて表示装置２に表示された画像をスクロールさせる表示画像制御手段７と、を備える。表示画像制御手段７は、少なくとも表示装置２の中心点には画像データ記憶部３１に記憶された画像データに基く画像が表示される範囲内に画像のスクロールを規制する。【選択図】図１
2010244240.tif 000002
【特許請求の範囲】
【請求項１】
画像を表わすデータである画像データを記憶する画像データ記憶部と、
前記画像データにより表わされる画像を表示する表示装置と、
前記表示装置とは異なる面に設けられたタッチセンサと、
前記タッチセンサからのタップ入力の検出の回数に基いて前記表示装置に表示された画像の中心点を中心として拡大した画像を表示させ、前記タッチセンサからのタッチ位置の移動の検出に基いて前記表示装置に表示された画像をスクロールさせる表示画像制御手段と、を備え、
前記表示画像制御手段は、少なくとも前記表示装置の中心点には前記画像データ記憶部に記憶された画像データに基く画像が表示される範囲内に画像のスクロールを規制する
携帯端末装置。
【請求項２】
第１の筐体と第２の筐体とを有する携帯端末装置において、
画像を表わすデータである画像データを記憶する画像データ記憶部と、
前記第１の筐体に設けられて、前記画像データにより表わされる画像を表示する表示装置と、
前記第２の筐体に設けられたタッチセンサと、
前記タッチセンサからのタップ入力の検出の回数に基いて前記表示装置に表示された画像の中心点を中心として拡大した画像を表示させ、前記タッチセンサからのタッチ位置の移動の検出に基いて前記表示装置に表示する画像をスクロールさせる表示画像制御手段と、を備え、
前記表示画像制御手段は、少なくとも前記表示装置の中心点には前記画像データ記憶部に記憶された画像データに基く画像が表示される範囲内に画像のスクロールを規制する
携帯端末装置。
【請求項３】
第１の筐体と、第２の筐体と、前記第１の筐体と第２の筐体とを開閉自在に接続するヒンジ部と、を有する携帯端末装置において、
画像を表わすデータである画像データを記憶する画像データ記憶部と、
前記第１の筐体に設けられて、前記画像データにより表わされる画像を表示する表示装置と、
前記ヒンジ部に設けられ、前記第１の筐体を前記第２の筐体に対して開いた状態でキー操作部の上部となる位置に設けられたタッチセンサと、
前記タッチセンサからのタップ入力の検出の回数に基いて前記表示装置に表示された画像の中心点を中心として拡大した画像を表示させ、前記タッチセンサからのタッチ位置の移動の検出に基いて前記表示装置に表示する画像をスクロールさせる表示画像制御手段と、を備え、
前記表示画像制御手段は、少なくとも前記表示装置の中心点には前記画像データ記憶部に記憶された画像データに基く画像が表示される範囲内に画像のスクロールを規制する
携帯端末装置。
【請求項４】
前記表示画像制御手段は、前記表示装置の中心点以外の点であって前記画像データ記憶部に記憶された画像データに基く画像が表示されない範囲がある場合には、前記画像データ記憶部に記憶された画像データに基く画像が表示されない範囲内については背景画像を表示させる
請求項１乃至請求項３のいずれか１項に記載の携帯端末装置。
【請求項５】
前記表示画像制御手段は、前記タッチセンサから所定回数のタップ入力が検出された場合には、前記表示装置に表示された初期の画像の倍率に戻した画像を表示させる
請求項１乃至請求項４のいずれか１項に記載の携帯端末装置。
【請求項６】
前記表示画像制御手段は、前記表示装置に最大倍率の画像を表示させる場合には、前記表示装置に背景を表示させない
請求項５に記載の携帯端末装置。
【請求項７】
前記表示画像制御手段は、前記タッチセンサからダブルタップ入力が検出された場合には、前記表示装置に表示された初期画像の倍率に戻した画像を表示させる
請求項１乃至請求項４のいずれか１項に記載の携帯端末装置。
【請求項８】
前記表示画像制御手段は、所定のキーが押された場合に前記表示装置に表示していた初期画像の倍率に戻した画像を表示させる
請求項１乃至請求項４のいずれか１項に記載の携帯端末装置。
【請求項９】
前記表示画像制御手段は、前記タッチセンサが所定時間よりも短い時間のタッチ入力を検出した場合はタップ入力と判断して拡大した画像を表示させ、前記タッチセンサが前記所定時間よりも長い時間のタッチ入力を検出した場合は前記タッチセンサからのタッチ位置の移動の検出に基いて前記表示装置に表示する画像をスクロールさせる
請求項１乃至請求項８のいずれか１項に記載の携帯端末装置。
【請求項１０】
前記表示画像制御手段は、前記タッチセンサからのタップ入力の検出の回数に基いて前記表示装置に表示された画像の中心点を中心として自然数倍に拡大した画像を表示させる
請求項１乃至請求項９のいずれか１項に記載の携帯端末装置。
【請求項１１】
前記表示画像制御手段は、前記タッチセンサからのタップ入力の検出の回数に基いて前記表示装置に表示された画像の中心点を中心として２のべき乗倍に拡大した画像を表示させる
請求項１乃至請求項１０のいずれか１項に記載の携帯端末装置。
【請求項１２】
前記タッチセンサは、前記第２の筐体の十字キーに隣接した面上に配置されている
請求項２に記載の携帯端末装置。
【請求項１３】
前記タッチセンサは、前記第２の筐体のカメラの裏面に配置されている
請求項２に記載の携帯端末装置。
【発明の詳細な説明】
【技術分野】
【０００１】
本発明は、携帯電話機などの携帯端末装置に関する。
【背景技術】
【０００２】
携帯電話機などの携帯端末装置の表示装置（液晶ディスプレイなど）のサイズが大きくなるとともに、高精細化が進んでいる。
【０００３】
また、携帯端末装置の文字入力やその他機能の操作手段として、従来はボタンまたはキーが利用されることが一般的であったが、近年、操作性をより向上させるために端末の操作手段としてタッチパネル（タッチセンサ）を導入したものが増えている。
【０００４】
図１５に示すように、タッチパネル１４は、透明なタッチセンサを表示装置４（ディスプレイ）の上に重ね、ディスプレイの表示画面とタッチセンサを連動させることによって、ディスプレイ上に指や手等を触れることで端末操作が可能となる。
【０００５】
または、ディスプレイ上ではない場所にタッチセンサを配置し、タッチセンサ上で指を動かすことにより、ディスプレイ上のポインタやカーソルを容易にかつ自由に移動させることが可能となる。このタッチセンサは例えばノートパソコンなどにおいてマウスの代わりに利用される。
【０００６】
また、タッチセンサを用いて、表示画像の拡大とスクロールをする方法（以下「拡大スクロール方法」という。）として、ディスプレイ上のタッチパネルを用いる方法がある。（例えば特許文献１、２参照）これは、指でタッチパネルの押したときの位置を検出し、その位置を中心として表示画像を所定の倍率で拡大する方法である。また、別のモードにおいては、タッチパネル上で動かした指の移動量に応じて表示画面を移動（スクロール）する機能も有する。
【０００７】
タッチセンサを用いて、表示画像の拡大とスクロールを行う他の方法として、ディスプレイと別の場所にあるタッチセンサを用いた方法がある。（例えば特許文献３参照）
キーボタンが並んだ操作パネル上にタッチセンサを有し、そのタッチセンサ上で円形や長方形状などの図形を指で描くと、描いた図形の場所に応じて拡大中心を決定し、前記図形の大きさに対応して拡大図の拡大率を決定する。
【先行技術文献】
【特許文献】
【０００８】
【特許文献１】特開平５−１８１６３６号公報
【特許文献２】特開２００５−２３４１９９号公報
【特許文献３】特開２００６−３３８４８８号公報
【発明の概要】
【発明が解決しようとする課題】
【０００９】
上記で述べた、従来のディスプレイ上のタッチパネルを用いた従来の拡大スクロール方法は、ディスプレイ上で拡大中心を指定できるので直観的でわかりやすい操作方法であるが、携帯電話などの携帯端末装置においては、ディスプレイの大きさが例えば約３インチ程度と小さいことから、表示画像の一部が指に隠れて邪魔になって見にくいという課題があった。
【００１０】
また、ディスプレイ上とは別の場所のタッチセンサを用いた従来の拡大スクロール方法は、指が邪魔になることはないが、携帯電話などの携帯端末装置においては、タッチパネルで中心位置を指定して拡大する場合に、小型化の要求のため、タッチパネルが小さいので、中心位置の指定を正確に行うことが難しく、例えば表示画面とタッチセンサの両方を交互に見ながら操作する必要があるなど、操作しにくいという課題があった。
【００１１】
また、これらの従来の拡大スクロール方法はいずれも、指の動きで拡大位置やスクロール量を正確に指定するためには、指の移動量を大きくする必要がある。この場合には、図１５に示すように携帯端末装置を保持する手とは異なる手の指である必要があり、片手での操作がしにくいという課題があった。
【００１２】
本発明は、携帯端末装置を保持する手のうちの一本の指の操作で、画像の拡大スクロールを容易に行うことができる携帯端末装置を実現することを目的とする。
【課題を解決するための手段】
【００１３】
次に、上記の課題を解決するための手段について述べる。
【００１４】
本発明の携帯端末装置は、画像を表わすデータである画像データを記憶する画像データ記憶部と、前記画像データにより表わされる画像を表示する表示装置と、前記表示装置とは異なる面に設けられたタッチセンサと、前記タッチセンサからのタップ入力の検出の回数に基いて前記表示装置に表示された画像の中心点を中心として拡大した画像を表示させ、前記タッチセンサからのタッチ位置の移動の検出に基いて前記表示装置に表示された画像をスクロールさせる表示画像制御手段と、を備え、前記表示画像制御手段は、少なくとも前記表示装置の中心点には前記画像データ記憶部に記憶された画像データに基く画像が表示される範囲内に画像のスクロールを規制する。
【００１５】
また、本発明の携帯端末装置は、第１の筐体と第２の筐体とを有する携帯端末装置において、画像を表わすデータである画像データを記憶する画像データ記憶部と、前記第１の筐体に設けられて、前記画像データにより表わされる画像を表示する表示装置と、前記第２の筐体に設けられたタッチセンサと、前記タッチセンサからのタップ入力の検出の回数に基いて前記表示装置に表示された画像の中心点を中心として拡大した画像を表示させ、前記タッチセンサからのタッチ位置の移動の検出に基いて前記表示装置に表示する画像をスクロールさせる表示画像制御手段と、を備え、前記表示画像制御手段は、少なくとも前記表示装置の中心点には前記画像データ記憶部に記憶された画像データに基く画像が表示される範囲内に画像のスクロールを規制するものを含む。
【００１６】
また、本発明の携帯端末装置は、第１の筐体と、第２の筐体と、前記第１の筐体と第２の筐体とを開閉自在に接続するヒンジ部と、を有する携帯端末装置において、画像を表わすデータである画像データを記憶する画像データ記憶部と、前記第１の筐体に設けられて、前記画像データにより表わされる画像を表示する表示装置と、前記ヒンジ部に設けられ、前記第１の筐体を前記第２の筐体に対して開いた状態で前記キー操作部の上部となる位置に設けられたタッチセンサと、前記タッチセンサからのタップ入力の検出の回数に基いて前記表示装置に表示された画像の中心点を中心として拡大した画像を表示させ、前記タッチセンサからのタッチ位置の移動の検出に基いて前記表示装置に表示する画像をスクロールさせる表示画像制御手段と、を備え、前記表示画像制御手段は、少なくとも前記表示装置の中心点には前記画像データ記憶部に記憶された画像データに基く画像が表示される範囲内に画像のスクロールを規制するものを含む。
【００１７】
さらに、本発明の携帯端末装置は、前記表示画像制御手段は、前記表示装置の中心点以外の点であって前記画像データ記憶部に記憶された画像データに基く画像が表示されない範囲がある場合には、前記画像データ記憶部に記憶された画像データに基く画像が表示されない範囲内については背景画像を表示させるものを含む。
【発明の効果】
【００１８】
本発明によれば、携帯端末装置を保持する手のうちの一本の指の操作で、画像の拡大スクロールを容易に行うことができる携帯端末装置が実現できる。
【図面の簡単な説明】
【００１９】
【図１】本発明の実施の形態１の携帯端末装置の外観図
【図２】本発明の実施の形態１の携帯端末装置のブロック図
【図３】本発明の実施の形態１の拡大表示画像の生成方法を示す図
【図４】本発明の実施の形態１の拡大表示画像の表示方法を示す図
【図５】本発明の実施の形態１のスクロール及び拡大表示画像の表示方法を示す図
【図６】スクロール量を大きくしすぎた場合の課題を説明する図
【図７】本発明の実施の形態１の変形例におけるキーの位置を示す図
【図８】本発明の実施の形態１の拡大操作方法を示す図
【図９】本発明の実施の形態１の拡大とスクロール機能のフローチャート
【図１０】本発明の実施の形態２のタッチセンサの位置を示す図
【図１１】本発明の実施の形態３のタッチセンサの位置を示す図
【図１２】本発明の実施の形態４のタッチセンサの位置を示す図
【図１３】本発明の実施の形態５の拡大表示方法を示す図
【図１４】本発明の実施の形態６の拡大表示方法を示す図
【図１５】従来のタッチパネルを用いた拡大操作を示す図
【発明を実施するための形態】
【００２０】
以下、本発明の実施の形態について、図面を用いて説明する。
【００２１】
（実施の形態１）
図１は、本発明の実施の形態１におけるタッチセンサを有する携帯端末装置１００を親指で操作する様子を示した図である。携帯端末装置１００は、例えば折畳み式の携帯端末装置（携帯電話機等）である。携帯端末装置１００は、表示画像３を表示する表示装置２を有する上筐体（第１の筐体）と、キー操作手段である複数の操作キー６が設けられた操作パネル面５を有する下筐体（第２の筐体）とから構成されている。タッチセンサ４は、下筐体の操作パネル面５上の操作キー６の上部に設けられている。タッチセンサ４は、表示装置２に表示される表示画像３の拡大スクロール機能を制御する。これにより、携帯端末装置１００を握るユーザの手のうちの一本の指、例えば親指のみでタッチセンサ４を容易に操作することができる。
【００２２】
タッチセンサ４の位置は、図１に示すように、例えば操作パネル面５の最上部の操作キー６（例えば十字キー）のさらに上部に配置する。なお、タッチセンサ４の位置は操作パネル面５上であればどこでも構わない。例えば、図１２（２）と同様に、タッチセンサ４の位置は操作キー６と操作キー６の間や周辺などでも構わない。なお、操作キー６とタッチセンサ４を一体化することは可能だが、操作キー６のキー操作とタッチセンサ４の操作の区別がしにくいため、操作キー６とタッチセンサ４は一体化しないほうがよい。
【００２３】
図２は、本発明の実施の形態１における携帯端末装置１００のブロック構成図である。携帯端末装置１００は、表示装置２と、タッチセンサ４と、複数の操作キー６と、表示画像制御手段７と、画像データ記憶部３１と、主記憶部３２と、主制御部３３とを備える。ここで、画像データ記憶部３１と主記憶部３２とでメモリ部３４を構成する。また、表示画像制御手段７と主制御部３３とでＣＰＵ（Ｃｅｎｔｒａｌ  Ｐｒｏｃｅｓｓｉｎｇ  Ｕｎｉｔ）部３５を構成する。
【００２４】
表示装置２は、画像データにより表わされる画像を表示する。また、文字等を表示するようにすることもできる。表示装置２として、例えば、液晶表示装置、有機ＥＬ表示装置などを用いることができる。
【００２５】
タッチセンサ４は、指や物体の接触などを検知するセンサである。タッチセンサ４は、携帯端末装置１００の筐体の外側の面のうち、表示装置２とは異なる面に設けられている。タッチセンサ４は、携帯端末装置１００の外側の面に設けられることにより、ユーザの手の指の接触などを検知することができる。
【００２６】
操作キー６は、電話番号や文字などの入力に用いられるダイヤルキーなどを含むキー操作手段である。
【００２７】
表示画像制御手段７は、タッチセンサ４からのタップ入力の検出の回数に基いて表示装置２に表示された画像の中心点を中心として拡大した画像を表示させ、タッチセンサ４からのタッチ位置の移動の検出に基いて表示装置２に表示された画像をスクロールさせる。また、表示画像制御手段７は、少なくとも表示装置２の中心点には画像データ記憶部３１に記憶された画像データに基く画像が表示される範囲内に画像のスクロールを規制する。また、表示画像制御手段７は、表示装置２の中心点以外の点であって画像データ記憶部３１に記憶された画像データに基く画像が表示されない範囲がある場合には、画像データ記憶部３１に記憶された画像データに基く画像が表示されない範囲内については背景画像１５を表示させる。
【００２８】
画像データ記憶部３１は、画像を表わすデータである画像データ及び、表示画像に関する情報（拡大中心位置や倍率）などを記憶する。また、画像データ記憶部３１及び主記憶部３２としては、例えば、ＤＲＡＭ（Ｄｙｎａｍｉｃ  Ｒａｎｄｏｍ  Ａｃｃｅｓｓ  Ｍｅｍｏｒｙ）、フラシュメモリー等のメモリを用いることができる。また、画像データ記憶部３１及び主記憶部３２はハードウエアとしては別々のメモリを用いることもできるし、同一のメモリをソフトウエア上で区分けして用いるようにすることもできる。
【００２９】
ここで、表示装置２の画像（表示画像３）は、従来用いられていた操作キーだけでなく、タッチセンサ４の出力結果に応じて表示画像制御手段７を介して制御される。例えば、タッチセンサ４による拡大スクロール操作を、アプリケーション層よりも下位の層で行えるようにすれば、従来のキー操作と独立に動作するため、アプリケーションソフトウエアに依存せずに拡大スクロールが可能となる。つまり、アプリケーションソフトウエアごとのアプリケーション層における拡大スクロール機能の組み込みの手間が省ける。
【００３０】
主制御部３３は、携帯端末装置１００のその他の制御を行う。例えば、携帯端末装置１００の電話機能やメール機能等の制御を行う。
【００３１】
図３は、表示画像の元になる画像データと拡大後の拡大画像１１の関係を示した図である。以下では、表示画像３として絵または写真画像の場合を例として説明するがテキストデータやテレビなどの動画、インターネットのブラウザ画面などでもよい。まず、画像データ８を図３（１）に示す。画像データ８は、Ｘ、Ｙ座標における原点（０，０）を中心としてＸが−Ｍから＋Ｍまで、Ｙが−Ｎから＋Ｎまでの範囲の２Ｍ×２Ｎ個のデータにより表わされるものとする。この画像データ８全体を表示装置に表示した状態を初期状態とする。
【００３２】
座標（Ｘ０、Ｙ０）を中心として、画像データ８の一部をある倍率ａで拡大した拡大画像１１を図３（２）に示す。表示画像の中心座標（Ｘ０、Ｙ０）と拡大率ａは、画像データ８とともに画像データ記憶部３１に記憶される。表示画像制御手段７は、画像データ記憶部３１に記憶された画像データと表示画像の中心座標（Ｘ０、Ｙ０）と拡大率ａを読み出したのち、（Ｘ０、Ｙ０）を中心として拡大率ａの表示画像を生成する。図３は拡大率ａが２倍のときの例を示しており、拡大前の画像データの画素１個に対して拡大したときの画素は２×２＝４個になるため、図３（２）に示すように画素１個と同じものを複製して４個にする。このように、画像データに対する拡大率ａが自然数であれば画素を複製することで拡大画像を容易に生成することができる。
【００３３】
次に、拡大中心位置（Ｘ０、Ｙ０）と拡大倍率ａの指定方法について述べる。
【００３４】
従来は、ユーザが拡大中心の位置の指定と倍率ａの指定の２つの操作を行い、その結果に応じて拡大画像を生成していた。例えば、表示装置の面上に配置されたタッチパネル上のユーザが指で触れた場所をタッチパネルで検出することで拡大中心を指定し、拡大率はキーなどを用いた別の操作から検出していた。
【００３５】
これに対して、本実施の形態１では、ユーザの片手の指すなわち、キー操作を行う指で拡大スクロールが容易に操作できるようにするため、表示画像の中心を中心とした拡大とタッチセンサ４によるスクロールを組み合わせた方法を採用する。
【００３６】
以下は、拡大スクロール前の表示画像として、画像データ８全体を表示した初期状態の表示画像（＝初期表示画像）の場合の拡大スクロール動作を例に説明するが、初期表示画像ではない場合も同様である。
【００３７】
図４は表示画像の中心を中心として拡大する方法を示したものである。図４（１）は画像データ８全体を表示した初期状態の表示画像（＝初期表示画像）を示す。この拡大前の初期表示画像の中心（０、０）を中心として２倍に拡大した拡大画像を図４（２）に示す。なお、図４（１）はユーザがタッチセンサ４を押す操作をきっかけに拡大する様子を示している。拡大操作方法と拡大率の指定方法の詳細については後述する。
【００３８】
図５はスクロールと図４で述べた表示画像の中心を中心とする拡大を組み合わせて、表示画像の特定場所の拡大画像を生成する方法の一例を示したものである。図５（１）の初期表示画像の右下の人物の周辺部を拡大する方法について述べる。図５（１）の初期表示画像において、ユーザがタッチセンサ４の上に指を触れた状態のままその指を左上に移動ベクトルＦだけ動かす。タッチセンサ４は指の位置を検出した結果を表示画像制御手段７に出力する。表示画像制御手段７は、タッチセンサ４の出力結果をもとに指の位置の移動量すなわち移動ベクトルＦを検出し、この移動ベクトルＦに基づいて図５（２）のようにスクロールベクトルＳだけ左上に画像を移動し、人物が表示画像のほぼ中心位置になるようなスクロール画像を生成する。
【００３９】
ここで、スクロールベクトルＳは移動ベクトルＦと方向が同じで大きさがｂ倍であるとする。すなわち、Ｓ＝ｂ・Ｆである。ｂが１より十分大きくすることによって、ユーザはタッチセンサ上の指の小さい動きで表示画像を大きく移動させることができる。これにより表示画像に必要なスクロール量が確保でき、タッチセンサ４を表示装置に比べて大幅に小型化できる。なお、スクロールの方向は、Ｘ軸方向、Ｙ軸方向、斜め方向いずれの方向でも可能である。なお、タッチセンサ上の指の移動量が不十分な場合は、ユーザは指を一旦タッチパネルから離したあと、再度、指の移動操作を繰り返すことで表示画像のスクロール量を追加することもできる。
【００４０】
表示画像制御手段７は、上記スクロール画像を生成したのち、表示画像中心を中心とした拡大画像を生成することによって、図５（３）のように、人物付近の画像の拡大画像を生成することが可能になる。ここで注意すべき点は、２Ｍ×２Ｎのデータからなる長方形の画像データ８の外側にはデータが存在しない。そこで、表示画像制御手段７は、移動ベクトルＦに基づいて画像をスクロールしたのち、画像データ８の外側を表示するために背景画像１５を追加して表示画像を生成する。すなわち、図５（２）の斜線で示した部分はデータが存在しないため、例えば黒色の一様な画像（画像データ）を背景画像（背景画像データ）１５として追加したのち、スクロール画像として画像表示する。なお、背景画像は黒色以外の画像でも画像データ８と見分けがつくものであれば何でも構わない。
【００４１】
従来は、画像データ８全体が表示された初期表示画像において、スクロールを行って画像データ８の外側のデータが存在しない部分まで表示装置２に表示することは、特に理由がないため行われなかった。
【００４２】
これに対して、本実施の形態１の表示画像の中心を中心とした拡大とスクロールを組み合わせた拡大スクロール操作においては、スクロール範囲を画像データ８の外側まで拡大できることが重要である。
【００４３】
仮に、図４（１）に示す初期状態の表示画像がスクロールできなかった場合に、人物の付近を拡大したい場合には、次のような課題が発生するからである。図４（１）の表示画像はこれ以上スクロールできないのでユーザは拡大操作を行う必要があるが、このとき図４（２）に示すように拡大したい人物付近の画像が表示装置２の枠から外れて見失ってしまう。
【００４４】
従って、ユーザが拡大したい部分を見失わないようにするために、拡大の前にスクロールできるように、従来よりもスクロール範囲を大きくすることが必要である。
【００４５】
一方、スクロール範囲が大き過ぎると以下のように課題が発生する。図６を用いてスクロール量を大きくしすぎた場合の課題を説明する。図６（１）のようにユーザがスクロールを大きくし過ぎたときに拡大すると図６（２）のように画像データ８がほぼ消えてしまい、背景画像１５のみとなって表示したい表示画像を見失ってしまう。
【００４６】
そこで、スクロール範囲を大きくなりすぎないように制限することが必要である。スクロール画像のほぼ中心位置に画像データ８の一部が常に存在するようにすれば、スクロール画像中心を中心に拡大しても画像データ８が消えてしまうことはない。すなわち、表示画像制御手段７は、表示画像の中心に画像データ８が存在する間はスクロールを継続（許可）し、画像データ８の端（境界線）が表示画像の中心付近を横切ったらスクロールを停止する。言い換えると、表示画像制御手段７は、画像データ８の縦の境界線が表示画像の中心を横切ったら横方向（Ｘ方向）のスクロールを停止し、画像データ８の横の境界線が表示画像の中心を横切ったら縦方向（Ｙ方向）のスクロールを停止する。これにより、表示画像の中心付近に必ず画像データ８の一部が存在するので、ユーザがスクロール画像を拡大しても画像データ８を見失うことはない。
【００４７】
次に、拡大操作方法と拡大率の指定方法の詳細について説明する。
【００４８】
拡大操作方法として、キーを用いた方法について説明する。ユーザが特定の操作キー６を押すと表示画像の中心を中心として倍率ａで拡大する方法である。特定の操作キー６は携帯端末装置１００の既に存在する操作キー６で代用してもよいし、図７（１）のようにタッチセンサ４の近くに新しい操作キー６（拡大キー１６）を設置してもよい。画像データ８全体を表示した表示画像を初期表示画像として、ユーザが前記操作キー６を押す操作回数に基づいて倍率ａが変化するようにする。すなわち、表示画像制御手段７は例えば１回目の操作キー６の操作でａ倍に拡大したのち、さらにもう一度操作キー６を押すとさらにａ倍に拡大し、初期表示画像をａ×ａ倍に拡大する。操作キー６を押す操作を有限回（ｎ回）繰り返したのち、さらに操作キー６を１回押すと初期表示画像の１倍サイズの元の表示画像、すなわち初期表示画像に戻る。例えば、ａを２、ｎ＝３として、初期表示画像に対する表示画像の最大拡大率を８とすると、ユーザは所定キーを押す度に、２倍、４倍、８倍、１倍の順に変化させることが可能となる。なお、上記の操作キー６の操作はあくまで一例に過ぎず、拡大と縮小の操作キー６を別に設けることで拡大と縮小を自由に設定することもできる。
【００４９】
次に、拡大操作方法として、スクロール操作で用いたタッチセンサ４を利用した方法について述べる。タッチセンサ４を用いることで、拡大キー１６のような新たな操作キー６が不要であるとともに、ユーザにとって拡大操作とスクロール操作の間の指の移動量が少なく、拡大スクロールが早くて容易になる。
【００５０】
但し、ここで、ユーザの拡大操作とスクロール操作を区別する方法が必要となる。図８はタッチセンサ４を用いた拡大操作方法を示す。図８（１）から（３）はユーザのタッチセンサ４を指で触る操作（タップ操作）を示している。ユーザが指をタッチセンサ４に触れて離すまでの間の時間、すなわち、図８（２）の状態の継続時間をＴとし、タッチセンサ４の出力結果をもとに表示画像制御手段７においてこの継続時間Ｔを計測する。継続時間Ｔがある所定時間Ｔ０よりも短い場合に、拡大操作とみなし拡大機能を実施する。一方、所定時間Ｔ０より長い場合は拡大機能を実施しない。スクロール操作はユーザが指でタッチセンサ４に触れたのち、タッチセンサ４上で指を動かす操作であるため、タッチセンサ４に触れている継続時間Ｔは上記のタップ操作より十分長いと考えられる。従って、ユーザのスクロール操作とタップ操作は継続時間Ｔの長さで区別することができる。すなわち、表示画像制御手段７は継続時間ＴがＴ０より長いときはスクロール操作と判断する。
【００５１】
所定時間Ｔ０は短すぎるとユーザの操作性が低下するので、約０．１秒以上にする必要がある。一方、ユーザがスクロール操作のつもりでもスクロール操作時間がＴ０より短い場合には、間違って拡大機能が働くこともあるので、Ｔ０は長すぎてもよくない。所定時間Ｔ０はおよそ０．１秒から１秒くらいが適当と思われる。
【００５２】
図９には、拡大とスクロール操作の検出にタッチセンサ４を用いた場合のフローチャートを示す。画像データ８全体が表示装置２に表示されている状態を開始時の初期状態とする。タッチセンサ４が、タッチセンサ４に指等が触れたことを検出（ステップＳ１）したら、ステップＳ２に進む。タッチセンサ４が、指等が触れたことを検出しなければ何もせずＳ１に戻る。ステップＳ２において、表示画像制御手段７は、タッチセンサ４の出力結果をもとに指に触れている継続時間Ｔを測定し、Ｔ＜Ｔ０の場合には、ユーザが拡大のためのタップ操作を行ったと判断し、ステップＳ３に進む。ステップＳ３において初期状態からの拡大操作の検出回数がｎ以下の場合は、表示画像制御手段７は画像データ記憶部３１から読み出した現在の表示画像中心を中心として、表示画像をａ倍の倍率で拡大表示画像を生成した（ステップＳ５）のちステップＳ１に戻る。一方、初期状態からの拡大操作の検出回数が今回でｎ＋１回目になる場合には、初期状態の表示画像に戻した（ステップＳ４）のちステップＳ１に戻る。表示画像制御手段７は、ステップＳ２で指に触れている継続時間ＴがＴ０以上の場合には、ユーザがスクロール操作を行ったと判断しステップＳ６に進む。表示画像制御手段７はタッチセンサ４の出力結果をもとにステップＳ６でタッチした指の移動量ベクトル（ΔＸ、ΔＹ）を検出しステップＳ７に進む。ステップＳ７では、現在の表示画像をスクロールベクトル（ｂΔＸ、ｂΔＹ）だけ平行移動（スクロール）した画像を生成して表示する。画像データ８の外側が表示されるときの背景画像の追加やスクロール範囲の限定などの詳細説明は上述したのでここでは省略する。次に、表示画像制御手段７は、タッチセンサ４の出力結果をもとにステップＳ８においてタッチセンサから指が離れたかどうかを検出し、離れたときにはスクロール操作が終わったと判断しステップＳ１に戻る。指が離れていない場合はスクロールを継続するためにステップＳ６に戻る。以上のフローチャートにより、タッチセンサ４上の指操作のみで拡大スクロールが容易に可能となる。
【００５３】
次に、拡大表示を初期状態に戻すリセット方法について述べる。上述のように拡大操作の検出回数をｎ＋１回行うと自動的に初期状態にリセットされるが、拡大回数がｎ以下の場合でも即座にリセットできる方法があれば便利である。図７（２）に示すようにそのためのリセットキー１７をつけるか、タッチセンサ４をダブルタップする方法が考えられる。ダブルタップ操作とは、上述の図８のユーザのタップ操作を短時間に２回繰り返すものをいう。表示画像制御手段７は、図８のタップ操作を検出したのち、２つ目のタップ操作が検出されるまでの経過時間Ｔ１を測定する。２つのタップ操作の間の経過時間Ｔ１がある時間Ｔ２より小さい場合に、ダブルタップ操作を実施したと判断し、初期状態の画像にリセットする。これによりリセットキー１７が不要となる。
【００５４】
なお、本実施の形態１では、携帯端末装置１００として、折畳み式の携帯端末装置（携帯電話機等）を例として説明したが、ストレート型やスライド型の携帯端末装置においても同様に実現可能である。
【００５５】
以上説明したように、本発明の実施の形態１によれば、携帯端末装置１００を保持するユーザの手のうちの一本の指の操作で、拡大スクロールを容易に行うことができる携帯端末装置１００を実現できる。
【００５６】
（実施の形態２）
図１０に実施の形態２のタッチセンサ４の位置を示す。図１０（１）は操作パネル面、（２）はその断面図である。携帯端末装置１００（折畳み式の携帯電話機等）において、下筐体のカメラ１８が配置されているところの反対側の操作パネル面上には十字キーなどの操作キー６がないことが多い。なぜなら、カメラ撮影時にユーザがキーを押す操作でカメラ部分に指が触れることを避けるためである。そこで、上記の操作キー６がないスペースにタッチセンサ４を配置する。これにより、携帯端末装置１００の操作パネル面を大きくすることなくタッチセンサ４を配置することができる。その他の構成及び動作に関しては実施の形態１と同様のため説明は省略する。
【００５７】
（実施の形態３）
図１１に実施の形態３のタッチセンサ４の位置を示す。携帯端末装置１００（折畳み式の携帯電話機等）には、表示装置２がある上筐体と操作キー６がある下筐体をつなぐヒンジ１９がある。図１１に示すように、操作パネル面に近いところのヒンジ１９の表面にタッチセンサ４を配置する。これにより、携帯端末装置１００の操作パネル面を従来よりも大きくすることなくタッチセンサ４を配置することができる。その他の構成及び動作に関しては実施の形態１と同様のため説明は省略する。
【００５８】
（実施の形態４）
図１２に実施の形態４のタッチセンサ４の位置を示す。実施の形態４は携帯端末装置１００がストレート型の場合である。ストレート型携帯端末装置では、表示装置２と操作パネル面５は同一平面上にある。図１２（１）に示すように、操作パネル面の操作キー６と表示装置２の間のスペースにタッチセンサ４を配置する。なお、タッチセンサ４の位置は操作キー６と操作キー６の間などでも構わない。例えば、図１２（２）のＡからＥは、その他の場合のタッチセンサ４の位置の例を示す。いずれも操作パネル面上に配置されるため、ユーザが端末を持つ手の指で操作が可能である。その他の構成及び動作に関しては実施の形態１と同様のため説明は省略する。
【００５９】
（実施の形態５）
次に、拡大画像の表示方法に関して実施の形態１乃至実施の形態４とは異なる方法について説明する。その他の構成及び動作に関しては実施の形態１乃至実施の形態４と同様のため説明は省略する。
【００６０】
図１３（２）は、図１３（１）の背景画像を含む表示画像を拡大した図である。本実施の形態５では（２）の代わりに（３）に示す表示画像を表示する。（２）は（１）の画像を画像中心に対して忠実に拡大したものであるが、不要な背景画像が残ってしまう。そこで背景画像が消えるように、（２）の画像をさらにスクロールし（３）のように表示する。すなわち、下部にＹ１の背景画像が残るときは下方向（Ｙの負方向）にＹ１だけスクロールする。左右どちらかに背景画像がある場合も同様である。（１）から（２）を経由せずに直接（３）を表示してもよいが、（２）を短時間表示したのち（３）を表示することもできる。これにより、ユーザは拡大画像を認識しやすくなる。
【００６１】
（実施の形態６）
次に、拡大画像の表示方法として、よりユーザが見やすい方法について説明する。
【００６２】
本発明の実施の形態１乃至実施の形態５の拡大方法における拡大率は２倍以上のため離散的な拡大であることから、拡大した直後の表示画像がユーザにとって認識しにくいものになる可能性がある。
【００６３】
そこで、図１４は、拡大画像が認識しやすいものにするために、表示画像制御手段７に拡大範囲の表示機能を追加したものである。拡大前の表示画面（１）において、ユーザが拡大操作を行った直後に（２）の表示画像を短時間表示したのち、（３）の拡大画像を表示する。（２）の表示画像はこれから拡大する画像の領域を点線の枠で示したもので、ユーザはこれから拡大画像が表示される事実と表示領域が認識できるため、これから表示される画像がスクロール画像なのか拡大画像なのかが瞬時に認識しやすくなる。
【００６４】
なお、上記の拡大範囲の表示方法は点線の枠で示すものであるが、拡大範囲がおよそ区別できれば他の方法でも構わない。
【産業上の利用可能性】
【００６５】
本発明の携帯端末装置は、片手操作で表示画像の拡大スクロールが自由かつ容易に操作できるので、携帯端末装置として有用である。
【符号の説明】
【００６６】
１００    携帯端末装置
２    表示装置
３    表示画像
４    タッチセンサ
５    操作パネル面
６    操作キー（キー操作手段）
７    表示画像制御手段
８    表示画像
９    表示画像の拡大部
１０    拡大中心
１１    拡大画像
１２    スクロール画像
１３    スクロールベクトル
１４    指の移動ベクトル
１５    背景画像
１６    拡大キー
１７    リセットキー
１８    カメラ
１９    ヒンジ
２０    拡大部分表示
２１    タッチパネル
３１    画像データ記憶部
３２    主記憶部
３３    主制御部
３４    メモリ部
３５    ＣＰＵ部
【図１】
2010244240.tif 000003
【図２】
2010244240.tif 000004
【図３】
2010244240.tif 000005
【図４】
2010244240.tif 000006
【図５】
2010244240.tif 000007
【図６】
2010244240.tif 000008
【図７】
2010244240.tif 000009
【図８】
2010244240.tif 000010
【図９】
2010244240.tif 000011
【図１０】
2010244240.tif 000012
【図１１】
2010244240.tif 000013
【図１２】
2010244240.tif 000014
【図１３】
2010244240.tif 000015
【図１４】
2010244240.tif 000016
【図１５】
2010244240.tif 000017